(57)【要約】【課題】生産性を低下させることなく、互いに丁合される第１の印刷物と第２の印刷物とを丁合ラインに供給する前にそれらの組み合わせが予め決められたものであるかどうかを確認する。【解決手段】載置台１３から丁合ライン３０に次に供給される表紙１を、積み重ね状態にてその表紙１の次に丁合ライン３０に供給される表紙１に印字されたバーコード情報１ａが露出するようにずらして待機させておき、この状態において、露出したバーコード情報１ａをバーコードリーダ１２にて読み取っておく。そして、載置台２３から丁合ライン３０に供給される本文用紙２に印字されたバーコード情報２ａを読み取り、表紙１と本文用紙２との組み合わせが予め決められたものであるかどうかを確認する。【選択図】図１
2008132725.tif 000002
【特許請求の範囲】
【請求項１】
照合用コードが付与され、積み重ねられた第１の印刷物を丁合ラインに順次供給する第１の供給手段と、照合用コードが付与されて積み重ねられ、前記第１の印刷物と丁合される第２の印刷物を、丁合される第１の印刷物が前記第１の供給手段から前記丁合ラインに供給される前に前記丁合ラインに順次供給する第２の供給手段と有し、前記第１の供給手段から供給された第１の印刷物と前記第２の供給手段から供給された第２の印刷物とを前記丁合ラインにて丁合することにより冊子を作製する製本機において、
前記第１の供給手段は、前記丁合ラインに次に供給する第１の印刷物を、積み重ね状態にて当該第１の印刷物の次に前記丁合ラインに供給される第１の印刷物に付与された照合用コードが露出するようにずらして待機させ、
前記照合用コードが露出した前記第１の印刷物から前記照合用コードを読み取る第１の読取手段と、
前記第２の供給手段から前記丁合ラインに次に供給される第２の印刷物から前記照合用コードを読み取る第２の読取手段と、
前記第１及び第２の読取手段における読み取り結果に基づいて、前記第２の供給手段から前記丁合ラインに次に供給される前記第２の印刷物と、該第２の印刷物に丁合されるように前記第１の供給手段から前記丁合ラインに供給される第１の印刷物との組み合わせが予め決められた組み合わせであるかどうかを判断する制御手段とを有することを特徴とする製本機。
【発明の詳細な説明】
【技術分野】
【０００１】
本発明は、製本機に関し、特に、製本される複数種類の印刷物の照合技術に関する。
【背景技術】
【０００２】
冊子を作製する製本機においては、表紙と本文用紙等、異なる種類の印刷物が丁合され、これらが糊づけやステープル綴じ等によって綴じられることにより、冊子が作製されている。このように異なる種類の印刷物を丁合する場合、これらの印刷物の組み合わせが正しいかどうかを確認する必要があり、複数種類の印刷物を丁合する際に、印刷物にそれぞれ印字されたバーコード情報を読み取ることにより、複数の印刷物の組み合わせを確認するシステムが考えられている（例えば、特許文献１参照。）。
【０００３】
図５は、バーコード情報を用いた照合機能を有する従来の製本機の一構成例を示す図である。
【０００４】
本従来例は図５に示すように、載置台１１３上に積み重ねられた表紙１０１を順次フィードしていくフィードローラ１１１と、載置台１２３上に積み重ねられた本文用紙１０２を順次フィードしていくフィードローラ１２１と、載置台１１３からフィードされた表紙１０１に印字されたバーコード情報を読み取るバーコードリーダ１１２と、載置台１２３からフィードされた本文用紙１０２に印字されたバーコード情報を読み取るバーコードリーダ１２２と、フィードローラ１１１によって供給された表紙１０１とフィードローラ１２１によって供給された本文用紙１０２とを丁合して冊子とするための折り加工部１３１、糊塗布部１３２、丁合部１３３、断裁部１３４、区分け部１３５、リジェクト部１３６及びスタッカ部１３７と、これらを制御する制御部１４０とから構成されている。
【０００５】
上記のように構成された製本機においては、載置台１１３上に載置された表紙１０１が、積み重ねられた最下面の表紙１０１からフィードローラ１１１によってボトムフィードされ、また、載置台１２３上に載置された本文用紙１０２が、積み重ねられた最上面の本文用紙１０２からフィードローラ１２１によってトップフィードされる。
【０００６】
載置台１１３上に積み重ねられた表紙１０１と、載置台１２３上に積み重ねられた本文用紙１０２にはそれぞれ、載置台１１３，１２３からフィードされた際にバーコードリーダ１１２，１２２と対向する面に、表紙１０１と本文用紙１０２との丁合時の組み合わせを示す情報を含むバーコード情報が印字されている。また、本文用紙１０２に印字されたバーコード情報には、１枚の表紙１０１に丁合される表紙１０１を含んだ本文用紙１０２の枚数とそのうち何枚目であるかを示す情報も含まれている。
【０００７】
載置台１２３上に積み重ねられた本文用紙１０２がフィードローラ１２１によって順次トップフィードされていくと、バーコードリーダ１２２によって、載置台１２３からフィードされた本文用紙１０２に印字されたバーコード情報が順次読み取られる。そして、１枚の表紙１０１に丁合される本文用紙１０２が全て載置台１２３からフィードされ、そのうち最後にフィードされた本文用紙１０２に印字されたバーコード情報がバーコードリーダ１２２にて読み取られたタイミングに基づいてフィードローラ１１１が回転し、載置台１１３上に積み重ねられた表紙１０１がトップフィードされる。
【０００８】
すると、バーコードリーダ１１２によって、載置台１１３からフィードされた表紙１０１に印字されたバーコード情報が読み取られ、その後、制御部１４０において、バーコードリーダ１２２にて本文用紙１０２から順次読み取られていたバーコード情報と、バーコードリーダ１１２にて表紙１０１から読み取られたバーコード情報とに基づいて、載置台１２３からフィードされた本文用紙１０２と載置台１１３からフィードされた表紙１０１との組み合わせが予め決められた組み合わせであるかどうかが判断される。
【０００９】
その後、載置台１２３からフィードされた本文用紙１０２と、載置台１１３からフィードされた表紙１０１は、折り加工部１３１において、本文用紙１０２及び表紙１０１のそれぞれについて１枚ずつ折られ、糊塗布部１３２にて折り部に糊が塗布され、丁合部１３３にて冊子毎に丁合される。丁合部１３３にて冊子毎に丁合された本文用紙１０２及び表紙１０１は、糊塗布部１３２にて塗布された糊によって折り部が接着されて冊子形態とされる。
【００１０】
そして、断裁部１３４において、バーコード情報が印字された領域が断裁され、区分け部１３５にて冊子に応じた区分けが行われ、スタッカ１３７にスタックされる。この際、制御部１４０の制御によって、載置台１２３からフィードされた本文用紙１０２と載置台１１３からフィードされた表紙１０１との組み合わせが予め決められた組み合わせではないと判断された冊子は、リジェクト部１３６にリジェクトされることになる。
【特許文献１】特開平１１−６００４８号公報
【発明の開示】
【発明が解決しようとする課題】
【００１１】
上述したような従来の製本機においては、丁合される表紙と本文用紙にそれらの組み合わせを確認するためにそれぞれ印字されたバーコード情報が、積み重ねられた載置台からフィードされた際に読み取られているため、積み重ねられた載置台からフィードされた表紙と本文用紙との組み合わせが予め決められた組み合わせではない場合であっても、これらが一旦丁合されてしまうことになる。そのため、載置台上に、本来積み重ねられる表紙あるいは本文用紙とは異なる表紙あるいは本文用紙が誤って積み重ねられ、載置台上に積み重ねられた表紙と本文用紙とが全く無関係のものである場合であっても、載置台上に積み重ねられた表紙と本文用紙とが全て丁合されてしまい、用紙が無駄に使われてしまうという問題点がある。
【００１２】
ここで、表紙に印字されたバーコード情報と本文用紙に印字されたバーコード情報とを、表紙と本文用紙がフィードされる前にそれぞれ読み取り、これらの組み合わせが予め決められた組み合わせであるかどうかを判断すれば、載置台上に積み重ねられた表紙と本文用紙とが全く無関係のものである場合に、載置台上に積み重ねられた表紙と本文用紙とが丁合されてしまうことがなくなるが、上述したように、１枚の表紙に丁合される本文用紙が全てフィードされた後にそれらに丁合される表紙がフィードされるものにおいては、本文用紙が連続してフィードされてくる場合、載置台上に積み重ねられた状態で表紙からバーコード情報が読み取り可能となるタイミングでは、その表紙に丁合される本文用紙が既に載置台からフィードされてしまっており、組み合わせが予め決められたものではない表紙をフィードすることは回避できるものの、本文用紙はフィードされてしまう。
【００１３】
また、１つの冊子について、本文用紙を全てフィードした後にその本文用紙に丁合される表紙がフィードされるまで、次の本文用紙のフィードを停止させておけば、上述したような問題点を回避することができるが、その場合、本文用紙が連続してフィードされないこととなり、生産性が低下してしまうという問題点がある。
【００１４】
本発明は、上述したような従来の技術が有する問題点に鑑みてなされたものであって、生産性を低下させることなく、互いに丁合される第１の印刷物と第２の印刷物とを丁合ラインに供給する前にそれらの組み合わせが予め決められたものであるかどうかを確認することができる製本機を提供することを目的とする。
【課題を解決するための手段】
【００１５】
上記目的を達成するために本発明は、
照合用コードが付与され、積み重ねられた第１の印刷物を丁合ラインに順次供給する第１の供給手段と、照合用コードが付与されて積み重ねられ、前記第１の印刷物と丁合される第２の印刷物を、丁合される第１の印刷物が前記第１の供給手段から前記丁合ラインに供給される前に前記丁合ラインに順次供給する第２の供給手段と有し、前記第１の供給手段から供給された第１の印刷物と前記第２の供給手段から供給された第２の印刷物とを前記丁合ラインにて丁合することにより冊子を作製する製本機において、
前記第１の供給手段は、前記丁合ラインに次に供給する第１の印刷物を、積み重ね状態にて当該第１の印刷物の次に前記丁合ラインに供給される第１の印刷物に付与された照合用コードが露出するようにずらして待機させ、
前記照合用コードが露出した前記第１の印刷物から前記照合用コードを読み取る第１の読取手段と、
前記第２の供給手段から前記丁合ラインに次に供給される第２の印刷物から前記照合用コードを読み取る第２の読取手段と、
前記第１及び第２の読取手段における読み取り結果に基づいて、前記第２の供給手段から前記丁合ラインに次に供給される前記第２の印刷物と、該第２の印刷物に丁合されるように前記第１の供給手段から前記丁合ラインに供給される第１の印刷物との組み合わせが予め決められた組み合わせであるかどうかを判断する制御手段とを有することを特徴とする。
【００１６】
上記のように構成された本発明においては、丁合ラインにて丁合される第１の印刷物と第２の印刷物のうち、第１の供給手段から供給される第１の印刷物について、第１の供給手段において、丁合ラインに次に供給される第１の印刷物が、積み重ね状態にてその第１の印刷物の次に丁合ラインに供給される第１の印刷物に付与された照合用コードが露出するようにずらして待機されており、この状態において、露出した照合用コードが第１の読取手段にて読み取られる。その後、第２の読取手段において、第２の供給手段から丁合ラインに次に供給される第２の印刷物から照合用コードが読み取られ、これら第１及び第２の読取手段における読み取り結果に基づいて、第２の供給手段から丁合ラインに次に供給される第２の印刷物と、この第２の印刷物に丁合されるように第１の供給手段から丁合ラインに供給される第１の印刷物との組み合わせが予め決められた組み合わせであるかどうかが判断される。
【００１７】
このように、第１の供給手段から丁合ラインに次に供給される第１の印刷物が、積み重ね状態にてその第１の印刷物の次に丁合ラインに供給される第１の印刷物に付与された照合用コードが露出するようにずらして待機されており、この状態において、露出した照合用コードが第１の読取手段にて読み取られているので、第１の印刷物が第１の供給手段から丁合ラインに供給される前にその第１の印刷物に丁合される第２の印刷物が第２の供給手段から丁合ラインに供給される構成であっても、その第２の印刷物が第２の供給手段から丁合ラインに供給される際には、その第２の印刷物に丁合される第１の印刷物に付与された照合用コードが読み取られていることとなり、それにより、第２の供給手段からの第２の印刷物の供給を停止させることなく、互いに丁合される第１の印刷物と第２の印刷物とを丁合ラインに供給する前にそれらの組み合わせが予め決められたものであるかどうかが確認され、例えば、これらの組み合わせが予め決められた組み合わせではない場合に第１及び第２の供給手段からの第１及び第２の印刷物の供給を停止すること等の制御を行うことができる。
【発明の効果】
【００１８】
以上説明したように本発明においては、第１の供給手段から丁合ラインに次に供給される第１の印刷物が、積み重ね状態にてその第１の印刷物の次に丁合ラインに供給される第１の印刷物に付与された照合用コードが露出するようにずらして待機されており、この状態において、露出した照合用コードが第１の読取手段にて読み取られている構成としたため、第１の印刷物が第１の供給手段から丁合ラインに供給される前にその第１の印刷物に丁合される第２の印刷物が第２の供給手段から丁合ラインに供給される構成であっても、生産性を低下させることなく、互いに丁合される第１の印刷物と第２の印刷物とを丁合ラインに供給する前にそれらの組み合わせが予め決められたものであるかどうかを確認することができる。
【発明を実施するための最良の形態】
【００１９】
以下に、本発明の実施の形態について図面を参照して説明する。
【００２０】
図１は、本発明の製本機の実施の一形態を示す図である。
【００２１】
本形態は図１に示すように、第１の印刷物である表紙１を丁合ライン３０に順次供給する第１の供給手段である載置台１３及びフィードローラ１１と、第２の印刷物である本文用紙２を丁合ライン３０に順次供給する第２の供給手段である載置台２３及びフィードローラ２１と、載置台１３上に積み重ねられた表紙１に印字されたバーコード情報を読み取る第１の読取手段であるバーコードリーダ１２と、載置台２３上に積み重ねられた本文用紙２に印字されたバーコード情報を読み取る第２の読取手段であるバーコードリーダ２２と、丁合ライン３０に設けられ、フィードローラ１１によって供給された表紙１とフィードローラ２１によって供給された本文用紙２とを丁合して冊子とするための折り加工部３１、糊塗布部３２、丁合部３３、断裁部３４、区分け部３５、リジェクト部３６及びスタッカ部３７と、これらを制御する制御部４０とから構成されている。
【００２２】
載置台１３上には、複数枚の表紙１が積み重ねられ、制御部４０の制御によってフィードローラ１１が回転することにより、最下面の表紙１から丁合ライン３０にボトムフィードされる。この載置台１３には、表紙１のフィード方向後端側に載置台１３の表裏貫通した穴部１３ａが設けられており、この穴部１３ａに対向する領域に、バーコードリーダ１２が配置されている。
【００２３】
載置台２３上には、載置台１３上に積み重ねられた表紙１と丁合されて冊子を構成する本文用紙２が積み重ねられ、制御部４０の制御によってフィードローラ２１が回転することにより、最上面の本文用紙２から丁合ライン３０にトップフィードされる。すなわち、載置台１３上に積み重ねられた表紙１と載置台２３上に積み重ねられた本文用紙２との組み合わせが予め決められた組み合わせとなっている場合においては、載置台２３上には、載置台１３上に積み重ねられた表紙１のうち最下面となる表紙１に丁合される本文用紙２が最上面から順次配置され、次に、載置台１３上に積み重ねられた表紙１のうち最下面から２番目となる表紙１に丁合される本文用紙２が順次配置されるというように、本文用紙２が積み重ねられている。バーコードリーダ２２は、載置台２３における本文用紙２のフィード方向後端側に対向するように配置されている。
【００２４】
丁合ライン３０に設けられた折り加工部３１、糊塗布部３２、丁合部３３、断裁部３４、区分け部３５、リジェクト部３６及びスタッカ部３７の詳細については後述する。
【００２５】
以下に、上記のように構成された製本機の動作について説明する。
【００２６】
まず、載置台１３，２３上に積み重ねられた表紙１及び本文用紙２について説明する。
【００２７】
図２は、図１に示した製本機にて製本される冊子を構成する表紙１及び本文用紙２を示す図であり、（ａ）は表紙１の載置台１３に対する載置面の構成を示す図、（ｂ）は本文用紙２の載置台２３に対する載置面とは反対側の面の構成を示す図である。
【００２８】
図１に示した製本機においては、例えば、通信教育の教材が作製される。通信教育の教材は、科目名や受講生徒の氏名等が印字された表紙１と、受講生徒が解答する問題や解答欄等が印字された本文用紙２とが、例えば、１枚の表紙１に対して５枚の本文用紙２というように、予め決められた組み合わせで丁合されて１つの冊子として作製される。また、近年、オンデマンド印刷技術によって、本文用紙２に印刷される情報を受講生徒毎に異ならせることもできる。
【００２９】
図１に示した載置台１３上に積み重ねられた表紙１は図２（ａ）に示すように、折り部１ｃにて折り畳まれる構成となっており、一方の面のうち、断裁部３４にて断裁される断裁ライン１ｂの外側の領域に照合用コードであるバーコード情報１ａが印字されている。このバーコード情報１ａには、本文用紙２と丁合されて作製される冊子を識別可能な冊子ＩＤと、冊子として作製された後の区分け等の作業を示すジョブＩＤとが含まれている。このように構成された表紙１は、バーコード情報１ａが印字された面が載置面となって載置台１３上に積み重ねられる。また、その際、バーコード情報１ａが印字された領域が、載置台１３からの表紙１のフィード方向後端側となるように載置台１３に積み重ねられる。それにより、表紙１に印字されたバーコード情報１ａが載置台１３の穴部１３ａに対向するようになり、バーコードリーダ１２において、載置台１３上に積み重ねられた表紙１に印字されたバーコード情報１ａが載置台１３の穴部１３ａを介して読み取られることになる。
【００３０】
また、図１に示した載置台２３上に積み重ねられた本文用紙２は図２（ｂ）に示すように、折り部２ｃにて折り畳まれる構成となっており、一方の面のうち、断裁部３４にて断裁される断裁ライン２ｂの外側の領域に照合用コードであるバーコード情報２ａが印字されている。このバーコード情報２ａには、表紙１と丁合されて作製される冊子を識別可能な冊子ＩＤと、冊子として作製された後の区分け等の作業を示すジョブＩＤと、この本文用紙２とともに１枚の表紙１に丁合される表紙１を含めた本文用紙２の枚数と、その枚数におけるページ番号とが含まれている。すなわち、丁合されて１つの冊子を構成する表紙１に印字されたバーコード情報１ａと本文用紙２に印字されたバーコード情報２ａとには、同一の冊子ＩＤ及びジョブＩＤが含まれている。このように構成された本文用紙２は、バーコード情報２ａが印字された面が上面となって載置台２３上に積み重ねられる。また、その際、バーコード情報２ａが印字された領域が、載置台２３からの表紙のフィード方向後端側となるように載置台２３に積み重ねられる。それにより、本文用紙２に印字されたバーコード情報２ａがバーコードリーダ２２にて読み取られることになる。
【００３１】
次に、図１に示した製本機において表紙１及び本文用紙２が丁合ライン３０に供給されるまでの処理について説明する。
【００３２】
図３は、図１に示した製本機において表紙１及び本文用紙２が丁合ライン３０に供給されるまでの処理を説明するためのフローチャートである。
【００３３】
図１に示した製本機によって作製される冊子を構成する表紙１が載置台１３上に積み重ねられるとともに、この表紙１に丁合されて冊子を構成する本文用紙２が載置台２３上に積み重ねられると（ステップＳ１）、まず、バーコードリーダ１２において、載置台１３上に積み重ねられた表紙１のうち最下面となる表紙１に印字されたバーコード情報１ａが載置台１３の穴部１３ａを介して読み取られるとともに、バーコードリーダ２２において、載置台２３上に積み重ねられた本文用紙２のうち最上面となる本文用紙２に印字されたバーコード情報２ａが読み取られる（ステップＳ２）。
【００３４】
すると、制御部４０において、バーコードリーダ１２にて表紙１から読み取られたバーコード情報１ａに含まれる冊子ＩＤと、バーコードリーダ２２にて本文用紙２から読み取られたバーコード情報２ａに含まれる冊子ＩＤとが照合され（ステップＳ３）、両者が一致しない場合、載置台１３上に積み重ねられた表紙１のうち最下面となる表紙１と、載置台２３上に積み重ねられた本文用紙２のうち最上面となる本文用紙２との丁合時の組み合わせが予め決められた組み合わせではないと判断され、警告灯の点灯／点滅や、警告表紙、あるいは警報音等によってエラーが出力され、表紙１及び本文用紙２が載置台１３，２３から丁合ライン３０にフィードされない（ステップＳ４）。
【００３５】
一方、バーコードリーダ１２にて表紙１から読み取られたバーコード情報１ａに含まれる冊子ＩＤと、バーコードリーダ２２にて本文用紙２から読み取られたバーコード情報２ａに含まれる冊子ＩＤとが一致した場合は、制御部４０の制御によってフィードローラ１１が一定角度だけ回転し、載置台１３上に積み重ねられた表紙１のうち最下面となる表紙１、すなわち丁合ライン３０に次に供給される表紙１が、その上に積み重ねられた表紙１、すなわち丁合ライン３０にさらにその次に供給される表紙１に印字されたバーコード情報１ａが載置台１３の穴部１３ａを介して露出するようにフィード方向にずらされて待機する（ステップＳ５）。
【００３６】
そして、制御部４０の制御によってフィードローラ２１が回転を開始し、載置台２３上に積み重ねられた本文用紙２が最上面となる本文用紙２から丁合ライン３０に順次フィードされていく（ステップＳ６）。
【００３７】
また、バーコードリーダ１２において、載置台１３の穴部１３ａを介して露出したバーコード情報１ａが読み取られ、制御部４０に送られる（ステップＳ７）。このバーコード情報１ａが読み取られた表紙１は、現在載置台２３から丁合ライン３０にフィードされている本文用紙２によって構成される冊子の次に載置台２３から丁合ライン３０にフィードされる本文用紙２に丁合されるものであり、制御部４０に保持される。
【００３８】
載置台２３上に積み重ねられた本文用紙２が丁合ライン３０に順次フィードされている状態においては、バーコードリーダ２２において、載置台２３上に積み重ねられた本文用紙２のうち最上面となる本文用紙２に印字されたバーコード情報２ａが読み取られる（ステップＳ８）。載置台２３に積み重ねられた本文用紙２は、フィードローラ２１によって最上面からフィードされていくため、バーコードリーダ２２においては、載置台２３から丁合ライン３０に次にフィードされる本文用紙２に印字されたバーコード情報２ａが読み取られることになる。本文用紙２に印字されたバーコード情報２ａには、その本文用紙２とともに１枚の表紙１に丁合される表紙１を含めた本文用紙２の枚数と、その枚数におけるページ番号とが含まれているため、バーコードリーダ２２にて読み取られたバーコード情報２ａに含まれるページ番号が、そのバーコード情報２ａに含まれる表紙１を含めた本文用紙２の枚数となると（ステップＳ９）、制御部４０の制御によって、そのバーコード情報２ａが読み取られた本文用紙２が載置台２３からフィードされ、載置台１３から表紙１がフィードされる領域を通過するようなタイミングでフィードローラ１１が回転し、載置台１３の最下面で載置位置がずれて待機していた表紙１が丁合ライン３０上にフィードされる（ステップＳ１０）。
【００３９】
これにより、丁合ライン３０にて丁合される本文用紙２と表紙１とが、丁合ライン３０に順次フィードされ、折り加工部３１に送られていく。
【００４０】
また、バーコードリーダ２２にて読み取られたバーコード情報２ａに含まれるページ番号が、そのバーコード情報２ａに含まれる表紙１を含めた本文用紙２の枚数となると、ステップＳ３における処理に戻り、制御部４０において、バーコードリーダ２２にて読み取られたバーコード情報２ａに含まれる冊子ＩＤと、ステップＳ７にてバーコードリーダ１２にて表紙１から読み取られたバーコード１ａに含まれる冊子ＩＤとが照合され、両者が一致しない場合、載置台１３上に積み重ねられた表紙１のうち最下面となる表紙１と、載置台２３上に積み重ねられた本文用紙２のうち最上面となる本文用紙２との丁合時の組み合わせが予め決められた組み合わせではないと判断され、警告灯の点灯／点滅や、警告表示、あるいは警報音等によってエラーが出力されるとともに、装置が停止する。
【００４１】
一方、ステップＳ７にてバーコードリーダ１２にて表紙１から読み取られたバーコード情報１ａに含まれる冊子ＩＤと、バーコードリーダ２２にて本文用紙２から読み取られたバーコード情報２ａに含まれる冊子ＩＤとが一致した場合は、ステップＳ５における処理に移行し、制御部４０の制御によってフィードローラ１１が一定角度だけ回転し、載置台１３上に積み重ねられた表紙１のうち最下面となる表紙１、すなわち丁合ライン３０に次に供給される表紙１が、その上に積み重ねられた表紙１、すなわち丁合ライン３０にさらにその次に供給される表紙１に印字されたバーコード情報１ａが載置台１３の穴部１３ａを介して露出するようにフィード方向にずらされて待機する。
【００４２】
このように、載置台１３から丁合ライン３０に次に供給される表紙１が、積み重ね状態にてその表紙１の次に丁合ライン３０に供給される表紙１に印字されたバーコード情報１ａが露出するようにずらして待機されており、この状態において、露出したバーコード情報１ａがバーコードリーダ１２にて読み取られているので、本形態にように表紙１が載置台１３から丁合ライン３０に供給される前にその表紙１に丁合される本文用紙２が載置台２３から丁合ライン３０に供給される構成であっても、その本文用紙２が載置台２３から丁合ライン３０に供給される際には、その本文用紙２に丁合される表紙１に印字されたバーコード情報１ａが読み取られていることとなり、それにより、載置台２３からの本文用紙２の供給を停止させることなく、互いに丁合される表紙１と本文用紙２とを丁合ライン３０に供給する前にそれらの組み合わせが予め決められたものであるかどうかを確認することができる。
【００４３】
次に、図１に示した製本機において丁合ライン３０に供給された表紙１と本文用紙２とが丁合される際の処理について説明する。
【００４４】
図４は、図１に示した製本機において丁合ライン３０に供給された表紙１と本文用紙２とが丁合される際の処理を説明するための図であり、（ａ）は折り加工部３１における処理を示す図、（ｂ）は糊塗布部３２における処理を示す図、（ｃ）は丁合部３３における処理を示す図である。
【００４５】
載置台２３からフィードされた本文用紙２と、載置台１３からフィードされた表紙１は、丁合ライン３０にフィードされた順序で、図４（ａ）に示すように、折り加工部３１において、本文用紙２及び表紙１のそれぞれについて折り部１ｃ，２ｃにて１枚ずつ折られる。
【００４６】
折り加工部３１において折り部１ｃ，２ｃにて折られた本文用紙２及び表紙１は、糊塗布部３２に順次送られ、糊塗布部３２において、図４（ｂ）に示すように、折り部１ｃ，２ｃの折り状態における内側に糊３２ａが順次塗布される。この際、載置台２３からフィードされ、１つの冊子を構成する本文用紙２のうち、載置台２３から一番目にフィードされた本文用紙２には、糊３２ａが塗布されない。
【００４７】
載置台２３から一番目にフィードされた本文用紙２、並びに、糊塗布部３２にて糊３２ａが塗布された本文用紙２及び表紙１は丁合部３３に送られる。丁合部３３においては、図４（ｃ）に示すように、作製される冊子毎に本文用紙２及び表紙１が丁合され、糊塗布部３２にて塗布された糊３２ａによって互いに接着される。ここで、丁合部３３においては、折り加工部３１や糊塗布部３２とは異なり、作製される１つの冊子を構成する全ての本文用紙２及び表紙１が糊塗布部３２から送られてくるまで、次工程の断裁部３４へ本文用紙２及び表紙１を送らない。これは、制御部４０の制御によって、作製される１つの冊子を構成する全ての本文用紙２及び表紙１が糊塗布部３２から丁合部３３に送られてくるまで本文用紙２及び表紙１を停止させ、作製される１つの冊子を構成する全ての本文用紙２及び表紙１が糊塗布部３２から丁合部３３に送られてきてこれらが丁合、接着された後に、冊子状態となった本文用紙２及び表紙１が断裁部３４に送られる。
【００４８】
断裁部３４においては、表紙１の断裁ライン１ｂ及び本文用紙２の断裁ライン２ｂが断裁されることにより、バーコード情報１ａ，２ａが印字された領域が切り落とされ、その後、区分け部３５にて冊子に応じた区分けが行われ、スタッカ３７にスタックされる。この区分け部３５における区分けは、バーコードリーダ１２，２２にて読み取られたバーコード情報１ａ，２ａに含まれる冊子ＩＤやジョブＩＤに応じて行われる。
【００４９】
また、バーコードリーダ２２にて読み取られたバーコード情報２ａに含まれるページ番号が、シリアルではなかった場合、すなわち、載置台２３上に積み重ねられた本文用紙２の冊子毎の束において抜けがあったり、その積み重ね順序が正しくなかったりした場合は、制御部４０の制御によって、その冊子がリジェクト部３６にリジェクトされることになる。
【００５０】
このようにして、載置台１３上に積み重ねられた表紙１と、載置台２３上に積み重ねられた本文用紙２とが、予め決められた組み合わせで丁合され、冊子が作製されることになる。
【００５１】
なお、本形態においては、搭載台１３上に積み重ねられた表紙１が最下面からボトムフィードされることによって丁合ライン３０に供給されているが、搭載台１３上に積み重ねられた表紙１が最上面からトップフィードされることによって丁合ライン３０に供給されてもよい。その場合、バーコード情報１ａは、表紙１の搭載台１３に対する載置面とは反対側の面に印字され、バーコードリーダ１２は、表紙１の最上面側からバーコード情報１ａを読み取るように配置される。また、搭載台１３から丁合ライン３０に次にフィードされる表紙１は、ボトムフィードの場合と同様に、フィードローラ１１によって、その次にフィードされる表紙１に印字されたバーコード情報１ａが露出するようにずらして待機することになる。
【００５２】
また、本形態においては、載置台１３上に積み重ねられた表紙１と載置台２３上に積み重ねられた本文用紙２との組み合わせのみを確認しているが、載置台２３からフィードされた本文用紙２に印字内容と対応づけられた二次元コードを印字しておき、本文用紙２が載置台２３からフィードされた際にこの二次元コードを読み取り、二次元コードと印字内容とが対応づけられたデータベースを参照して、本文用紙２に予め決められた情報が印字されているかどうかを確認する機能を付与することも考えられる。
【図面の簡単な説明】
【００５３】
【図１】本発明の製本機の実施の一形態を示す図である。
【図２】図１に示した製本機にて製本される冊子を構成する表紙及び本文用紙を示す図であり、（ａ）は表紙の載置台に対する載置面の構成を示す図、（ｂ）は本文用紙の載置台に対する載置面とは反対側の面の構成を示す図である。
【図３】図１に示した製本機において表紙及び本文用紙が丁合ラインに供給されるまでの処理を説明するためのフローチャートである。
【図４】図１に示した製本機において丁合ラインに供給された表紙と本文用紙とが丁合される際の処理を説明するための図であり、（ａ）は折り加工部における処理を示す図、（ｂ）は糊塗布部における処理を示す図、（ｃ）は丁合部における処理を示す図である。
【図５】バーコード情報を用いた照合機能を有する従来の製本機の一構成例を示す図である。
【符号の説明】
【００５４】
１    表紙
１ａ，２ａ    バーコード情報
１ｂ，２ｂ    断裁ライン
１ｃ，２ｃ    折り部
２    本文用紙
１１，２１    フィードローラ
１２，２２    バーコードリーダ
１３，２３    載置台
１３ａ    穴部
３０    丁合ライン
３１    折り加工部
３２    糊塗布部
３２ａ    糊
３３    丁合部
３４    断裁部
３５    区分け部
３６    リジェクト部
３７    スタッカ
４０    制御部
【図１】
2008132725.tif 000003
【図２】
2008132725.tif 000004
【図３】
2008132725.tif 000005
【図４】
2008132725.tif 000006
【図５】
2008132725.tif 000007